(57)【特許請求の範囲】
【請求項１】
平織基布の中間部に袋織によって玉条突部を形成した意匠テープであって、平織の基布の片方の耳部に袋織によって玉条突部を形成した二つのテープ地で構成され、各玉条突部を揃えて重合した二枚の基布の玉条突部との境目をトジ糸で連結し、連結した部分で二枚の基布が折開して面一と成っていることを特徴とする意匠テープ。
【請求項２】
平織基布の中間部に袋織によって玉条突部を形成した意匠テープであって、二枚の平織の基布の一方の耳部に共通の玉条突部が袋織によって形成してあり、二枚の基布の玉条突部との境目をトジ糸で連結し、連結した部分で二枚の基布が折開して面一と成っていることを特徴とする意匠テープ。
【発明の詳細な説明】
【０００１】
【発明の属する技術分野】
本発明は、意匠テープに関するものであり、詳しくは、平織組織の基布の中間部に袋織組織によって玉条突部を形成した意匠テープに関するものである。
【０００２】
【従来の技術】
平織組織の基布２の中間部に袋織組織によって玉条突部４を形成した従来の意匠テープは、例えば、図７や図８に示すように玉条突部４の断面が半円形か楕円形に成ってしまうのであり、平織組織の中間部に玉を袋織組織で織製することによる必然で受け入れざるを得ないものであった。
【０００３】
【発明が解決しようとする課題】
上記のように、従来の製品においては、玉条突部が半円形や楕円形に成って製織されるため、玉条突部が潰れた状態で看取され、意匠テープとしての商品価値が低下するのである。
【０００４】
そこで、本発明は袋織の玉条突部の断面が円形に製織されると共に、平織基布の中間部において玉条突部を形成している意匠テープを提供せんとするものである。
【０００５】
【課題を解決するための手段】
本発明の請求項１は、玉条突部を中間部に二条有する意匠テープであって、平織基布の中間部に袋織によって玉条突部を形成した意匠テープであって、平織の基布の片方の耳部に袋織によって玉条突部を形成した二つのテープ地で構成され、各玉条突部を揃えて重合した二枚の基布の玉条突部との境目をトジ糸で連結し、連結した部分で二枚の基布が折開して面一と成っていることを特徴とするものである。
【０００６】
袋織による玉条突部が平織の基布の耳部に形成してあるから、玉条突部の断面形状は円形に形成されるのであり、玉条突部との境目で重ねた二枚の平織基布をトジ糸で連結し、その部分で折開したため、二枚の平織基布は面一の一枚状と成り、連結したトジ糸の存在で玉条突部への影響が及ばず、中間部に二条の断面円形状のままの玉条突部が形成された意匠テープと成るものである。
【０００７】
又、請求項２は玉条突部を中間部に一条有する意匠テープであって、二枚の平織の基布の一方の耳部に共通の玉条突部が袋織によって形成してあり、二枚の基布の玉条突部との境目をトジ糸で連結し、連結した部分で二枚の基布が折開して面一と成っていることを特徴とするものである。
【０００８】
二枚の平織の基布の一方の耳部に共通の袋織による玉条突部を製織してあるから、玉条突部の断面形状は円形となり、重なった二枚の基布の玉条突部との境目でトジ糸で連結し、その部分で折開したため、二枚の基布は面一の一枚状と成り、トジ糸で基布との縁が断たれているため、基布の折開による影響は玉条突部に及ぶことなく、そのままの断面円形の形状が維持されるものである。
【０００９】
【発明の実施の形態】
本発明の実施の一形態を図面に基づいて説明する。
図１は請求項１の発明の構成図であり、平織組織１で製織した基布２Ａの一方の耳部に袋織組織３で玉条突部４Ａを形成したテープ地５Ａと、同様の組織１、３で基布２Ｂ及び玉条突部４Ｂを形成したテープ地５Ｂが玉条突部４Ａ、４Ｂを揃え、基布２Ａ、２Ｂを重合した状態で配置してある。
そして、各玉条突部４Ａ、４Ｂと基布２Ａ、２Ｂとの境目においてトジ糸６にて連結した状態を示している。
【００１０】
図２は、図１でのテープ地５Ａ、５Ｂがトジ糸６で連結された後、この連結部において基布２Ａ、２Ｂを折曲して互いに外側方向へ９０度開いて、二枚の基布２Ａ、２Ｂが面一に一枚布の如く成る状態を段階的に示す簡略化した側面図である。
【００１１】
基布２Ａ、２Ｂの折開によって、一枚布の如き基布２Ａ、２Ｂの中間部に玉条突部４Ａ、４Ｂが並んで二条形成された意匠テープ７が構成されるのであり、玉条突部４Ａ、４Ｂはトジ糸６Ａ、６Ｂで基布２Ａ、２Ｂと区分された状態と成り、基布２Ａ、２Ｂはトジ糸６の部分で折曲されていることもあり、基布２Ａ、２Ｂの折開にも影響されることなく断面が円形の形状が維持されている。
【００１２】
この意匠テープの製造方法の一例としては、二方向に同時に製織できる織機で、二つの平織組織の片方の耳部にそれぞれ一個ずつの玉を袋織組織で作り、玉と平織組織との別れ部に組織が一体となるように一本又は複数のトジ糸で同時に製織すると、玉が一個ずつ付いた図１の構成のテープ地を得られる。
【００１３】
そして、製織後、整理仕上げ乾燥機の圧縮ローラ８Ａ、８Ｂで広げながら圧縮・圧延することで、基布２Ａ、２Ｂの折開の安定を図って面一の平面状に仕上げることができるのである（図３）。
【００１４】
図４は、請求項２の発明の構成図である。
平織１で製織した二枚の基布２Ａ、２Ｂの一方の耳部に共通の一個の玉条突部４が袋織組織３で形成したテープ地５であり、玉条突部４と各基布２Ａ、２Ｂとの境目をトジ糸６Ａ、６Ｂに連結している。
【００１５】
図５は、図４のテープ地５をトジ糸６での連結部において、各基布２Ａ、２Ｂを折曲して互いに外側方向へ９０度開いて、二枚の基布２Ａ、２Ｂが面一に一枚布の如く成る状態を段階的に示す簡略図である。
【００１６】
基布２Ａ、２Ｂの折開によって、一枚布の如き基布２Ａ、２Ｂの中間部に玉条突部４が形成された意匠テープ７が構成され、玉条突部４と基布２Ａ、２Ｂとの関係は前記二条の玉条突部４Ａ、４Ｂを基布２Ａ、２Ｂの中間部に形成したものと同様であって、断面が円形の形状を維持されている。
【００１７】
この意匠テープの製造方法の一例としては、二方向に同時に製織できる織機で、二つの平織組織の一方の耳部に共通の玉を一個袋織組織で作り、玉と平織組織との別れ部に組織が一体と成るように一本又は複数のトジ糸で同時に製織して図４の構成のテープ地を得られ、次に整理仕上げ乾燥機の圧縮ローラ８Ａ、８Ｂで広げながら圧縮・圧延するものである（図６）。
【００１８】
【発明の効果】
以上のように、本発明は平織基布の中間部に断面形状が円形の玉条突部を構成した意匠テープを得られるものであって、商品価値を格段に高められる効果を有するものである。
【図面の簡単な説明】
【図１】請求項１の本発明の一実施の形態を示すテープ地の構成図である。
【図２】図１のテープ地を折開した状態を段階的に示す簡略図である。
【図３】図１のテープ地の折開の具体的手段を示す断面図である。
【図４】請求項２の発明の一実施の形態を示すテープ地の構成図である。
【図５】図４のテープ地を折開した状態を段階的に示す簡略図である。
【図６】図４のテープ地の折開の具体的手段を示す断面図である。
【図７】従来の意匠テープを示す構成図である。
【図８】従来の意匠テープを示す構成図である。
【符号の説明】
１  平織組織
２、２Ａ，２Ｂ  基布
３  袋織組織
４、４Ａ、４Ｂ  玉条突部
５、５Ａ、５Ｂ  テープ地
６  トジ糸
７  意匠テープ
８、８Ｂ  圧縮ローラ
【図１】
0003770851.tif 000002
【図２】
0003770851.tif 000003
【図３】
0003770851.tif 000004
【図４】
0003770851.tif 000005
【図５】
0003770851.tif 000006
【図６】
0003770851.tif 000007
【図７】
0003770851.tif 000008
【図８】
0003770851.tif 000009